【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
ボールを射出するボール発射装置に取り付けられる発射装置用アタッチメントであって、
ボールが入射する入射口と入射したボールを発射する発射口とを有する筒状の本体部と、
前記本体部の内部に取り付け可能であると共に、前記入射口と前記発射口との間で、入射したボールに摩擦を付与する付与ユニットと、
前記発射装置の射出口に取り付け可能な取り付け部と、を備え、
前記付与ユニットは、前記本体部に入射したボール表面に接する所定幅と所定長さを有する摩擦体を有し、
前記摩擦体は、ボールの曲面に対応する凹面を有する、発射装置用アタッチメント。
【請求項２】
前記摩擦体は、前記本体部に入射したボール表面に少なくとも２箇所で接する複数の凸部を有する請求項１記載の発射装置用アタッチメント。
【請求項３】
前記複数の凸部が２つであって、前記２つの凸部は、相互に略平行であると共に前記本体部でのボールの発射方向に略平行であり、更に前記２つの凸部は、人間の指約２つ分の間隔を有している請求項２記載の発射装置用アタッチメント。
【請求項４】
前記摩擦体は、前記本体部に入射したボール表面に一箇所で接する１つの凸部を有し、前記凸部は、前記摩擦体の幅方向の一方に偏った位置に設けられる請求項１又は２記載の発射装置用アタッチメント。
【請求項５】
前記摩擦体は、らせん状の凸部を有している請求項１又は２記載の発射装置用アタッチメント。
【請求項６】
前記摩擦体は、前記本体部に入射するボールと同等の素材および前記本体部に入射するボールの直径以上の長さの少なくとも一方を有している請求項１から５のいずれか記載の発射装置用アタッチメント。
【請求項７】
前記付与ユニットは、前記摩擦体の表面と前記本体部の中心との距離を変更できるように、前記本体部内部において上下移動可能である請求項１から６のいずれか記載の発射装置用アタッチメント。
【請求項８】
前記本体部は回転可能であり、前記本体部の回転に合わせて前記付与ユニットの位置が変更できる請求項１から７のいずれか記載の発射装置用アタッチメント。
【請求項９】
前記本体部は、複数の前記付与ユニットを取り付け可能である請求項１から８のいずれか記載の発射装置用アタッチメント。
【請求項１０】
前記本体部は、前記入射口から入射するボールの位置、向きを固定する固定部を更に備える請求項１から９のいずれか記載の発射装置用アタッチメント。
【請求項１１】
請求項１から１０のいずれか記載の発射装置用アタッチメントと、
前記発射装置用アタッチメントに接続されるボール射出部と、
前記ボール射出部にボールを供給する投入部と、
前記ボール射出部においてボールに射出圧力を与える加圧部と、
筐体とを備え、
前記投入部に投入されたボールは、前記ボール射出部に供給され、
前記ボール射出部に供給されたボールは、前記加圧部により圧力を与えられて、前記ボール射出部に沿って射出され、
前記ボール射出部に沿って射出されたボールは、前記発射装置用アタッチメントの内部に入射し、
前記発射装置用アタッチメントの内部に入射したボールは、前記付与ユニットにより摩擦が付与されるボール発射装置。
【手続補正２】
【補正対象書類名】明細書
【補正対象項目名】発明の名称
【補正方法】変更
【補正の内容】
【発明の名称】発射装置用アタッチメント、ボール発射装置
【手続補正３】
【補正対象書類名】明細書
【補正対象項目名】００１４
【補正方法】変更
【補正の内容】
【００１４】
また本発明の発射装置用アタッチメントは、ボールを射出する発射装置に取り付けられる発射装置用アタッチメントであって、ボールが入射する入射口と入射したボールが発射する発射口を有する筒状の本体部と、本体部の内部に取り付け可能であると共に、入射口と発射口との間で、入射したボールに摩擦を付与する付与ユニットと、発射装置の射出口に取り付け可能な取り付け部と、を備え、付与ユニットは、本体部に入射したボール表面に接する所定幅と所定長さを有する摩擦体を有し、摩擦体は、ボールの曲面に対応する凹面を有する、発射装置用アタッチメントである。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】変更
【補正の内容】
【００３１】
本発明の第１の発明に係る発射装置用アタッチメントは、ボールを射出するボール発射装置に取り付けられる発射装置用アタッチメントであって、ボールが入射する入射口と入射したボールを発射する発射口とを有する筒状の本体部と、
本体部の内部に取り付け可能であると共に、入射口と発射口との間で、入射したボールに摩擦を付与する付与ユニットと、発射装置の射出口に取り付け可能な取り付け部と、を備え、付与ユニットは、本体部に入射したボール表面に接する所定幅と所定長さを有する摩擦体を有し、摩擦体は、ボールの曲面に対応する凹面を有する。
【手続補正１５】
【補正対象書類名】明細書
【補正対象項目名】００３３
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３７
【補正方法】変更
【補正の内容】
【００３７】
本発明の第２の発明に係る発射装置用アタッチメントでは、第１の発明に加えて、摩擦体は、本体部に入射したボール表面に少なくとも２箇所で接する複数の凸部を有する。
【手続補正１８】
【補正対象書類名】明細書
【補正対象項目名】００３８
【補正方法】変更
【補正の内容】
【００３８】
本発明の第３の発明に係る発射装置用アタッチメントでは、第２の発明に加えて、複数の凸部が２つであって、２つの凸部は、相互に略平行であると共に本体部でのボールの発射方向に略平行であり、更に２つの凸部は、人間の指約２つ分の間隔を有している。これらの構成により、生身のピッチャーが、人差し指と中指を用いて、ボールに摩擦や回転を与えるのに近似した挙動が得られる。結果として、打撃練習に最適なボールを発射できる。
【手続補正１９】
【補正対象書類名】明細書
【補正対象項目名】００３９
【補正方法】変更
【補正の内容】
【００３９】
本発明の第４の発明に係る発射装置用アタッチメントでは、第１又は第２の発明に加えて、摩擦体は、本体部に入射したボール表面に一箇所で接する１つの凸部を有し、凸部は、摩擦体の幅方向の一方に偏った位置に設けられる。
【手続補正２０】
【補正対象書類名】明細書
【補正対象項目名】００４１
【補正方法】変更
【補正の内容】
【００４１】
本発明の第５の発明に係る発射装置用アタッチメントでは、第１又は第２の発明に加えて、摩擦体は、らせん状の凸部を有している。
【手続補正２１】
【補正対象書類名】明細書
【補正対象項目名】００４３
【補正方法】変更
【補正の内容】
【００４３】
本発明の第６の発明に係る発射装置用アタッチメントでは、第１から第５のいずれかの発明に加えて、摩擦体は、本体部に入射するボールと同等の素材および本体部に入射するボールの直径以上の長さの少なくとも一方を有している。
【手続補正２２】
【補正対象書類名】明細書
【補正対象項目名】００４５
【補正方法】変更
【補正の内容】
【００４５】
本発明の第７の発明に係る発射装置用アタッチメントでは、第１から第６のいずれかの発明に加えて、付与ユニットは、摩擦体の表面と本体部の中心との距離を変更できるように、本体部内部において上下移動可能である。
【手続補正２３】
【補正対象書類名】明細書
【補正対象項目名】００４７
【補正方法】変更
【補正の内容】
【００４７】
本発明の第８の発明に係る発射装置用アタッチメントでは、第１から第７のいずれかの発明に加えて、本体部は回転可能であり、本体部の回転に合わせて付与ユニットの位置が変更できる。
【手続補正２４】
【補正対象書類名】明細書
【補正対象項目名】００４９
【補正方法】変更
【補正の内容】
【００４９】
本発明の第９の発明に係る発射装置用アタッチメントでは、第１から第８のいずれかの発明に加えて、本体部は、複数の付与ユニットを取り付け可能である。